(57)【要約】【課題】表示装置側電極とタッチパネル側電極が電気的に接続されるタッチパネル付き表示装置について、設計における電極数削減などの設計制約が軽減され、かつ製造工程における作業工数が軽減されたタッチパネル付き表示装置を得る事を目的とする。【解決手段】本発明に係るタッチパネル付き表示装置２０は液晶ディスプレイ装置１０の表示面上にタッチパネル１が配置されるタッチパネル付き表示装置２０であって、液晶ディスプレイ装置１０に設けられるＴＦＴ基板側電極６、タッチパネル１に設けられるタッチパネル側電極２、ＴＦＴ基板側電極６とタッチパネル側電極２を電気的に接続する導電性ペースト７を備えて構成される。【選択図】  図１
2009199107.tif 000002
【特許請求の範囲】
【請求項１】
表示装置の表示面上にタッチパネルが配置されるタッチパネル付き表示装置であって、
前記表示装置に設けられる表示装置側電極と、
前記タッチパネルに設けられるタッチパネル側電極と、
前記表示装置側電極と前記タッチパネル側電極を電気的に接続する導電性ペーストと、を備える、
タッチパネル付き表示装置。
【請求項２】
前記表示装置側電極は前記表示装置の表示面側に配置され、
前記タッチパネル側電極は前記タッチパネルの裏面側に配置される、
請求項１に記載のタッチパネル付き表示装置。
【請求項３】
前記表示装置側電極は前記表示装置の表示面側に配置され、
前記タッチパネル側電極は前記タッチパネルの表示面側に配置される、
請求項１に記載のタッチパネル付き表示装置。
【請求項４】
前記表示装置側電極は前記表示装置の表示面側に配置され、
前記タッチパネル側電極は前記タッチパネルの側面側に配置される、
請求項１に記載のタッチパネル付き表示装置。
【発明の詳細な説明】
【技術分野】
【０００１】
本発明は、液晶ディスプレイ装置、プラズマディスプレイ装置、有機ＥＬディスプレイ装置、フィールドエミッションディスプレイ装置などに代表される平面ディスプレイ装置よりなる表示装置にタッチパネルが付されたタッチパネル付き表示装置に関する。
【背景技術】
【０００２】
タッチパネルを有する表示装置の構造として、表示装置側電極とタッチパネル側電極の電気的接続において、フレキシブル基板を用いた構造が多い。例えば、特許文献１が知られている。
【０００３】
タッチパネルと表示装置の電気的接続の手段については、タッチパネルの電極はフレキシブル基板の電極と電気的に接続されており、さらにフレキシブル基板の電極と表示装置の電極を電気的に接続することでタッチパネルを有する表示装置の機能を果たしている。この場合、タッチパネルと表示装置を電気的に接続するフレキシブル基板は構造上必須のものになっている。
【０００４】
また、特許文献２，３において、導電性ペーストを用いたタッチパネルが提案されている。特許文献２には、透明なフレキシブル基板上に形成された透明導電膜、金属もしくは金属合金からなる配線、透明導電膜と配線とを接続するための導電性ペーストからなる電極を含むタッチパネルが示されており、特許文献３には、透明導電性基体に導電性ペーストを用いて回路が形成されるタッチパネルが示されている。
【０００５】
【特許文献１】特開２００５−１５８００８号公報
【特許文献２】特開２００７−１８２２６号公報
【特許文献３】特開２００６−５９７２０号公報
【発明の開示】
【発明が解決しようとする課題】
【０００６】
しかしながら、従来のタッチパネルを有する表示装置では、フレキシブル基板を用いるため、設計においてフレキシブル基板の形状や電極の接続位置、接続方法などの設計制約を考慮する必要があった。特にフレキシブル基板を複数種類用いた構造の場合は、フレキシブル基板のコスト低減及び省スペース化を図るため、タッチパネルと表示装置を電気的に接続する電極数をなるべく削減するなどの設計制約等の問題が生じていた。さらに、フレキシブル基板の電極をタッチパネルや表示装置の電極等に対して複数回接続する必要があり、作業工数が増加するという問題もあった。
【０００７】
特許文献２はフレキシブル基板を用いたタッチパネルの構成が示されたものであり、特許文献３はタッチパネル自身の構成が示されたものであり、上記の問題を解決するものではない。
【０００８】
本発明は上述の問題を解決するためになされたものであり、表示装置側電極とタッチパネル側電極が電気的に接続されるタッチパネル付き表示装置について、設計における電極数削減などの設計制約が軽減され、かつ製造工程における作業工数が軽減されたタッチパネル付き表示装置を得る事を目的とする。
【課題を解決するための手段】
【０００９】
本発明に係るタッチパネル付き表示装置は表示装置の表示面上にタッチパネルが配置されるタッチパネル付き表示装置であって、表示装置に設けられる表示装置側電極、タッチパネルに設けられるタッチパネル側電極、表示装置側電極とタッチパネル側電極を電気的に接続する導電性ペーストを備えて構成される。
【発明の効果】
【００１０】
本発明に係るタッチパネル付き表示装置は、表示装置側電極とタッチパネル側電極が導電性ペーストを用いて電気的に接続されるため、フレキシブル基板の必要がない、あるいはフレキシブル基板を簡素化できる構造になる。これにより、フレキシブル基板のコスト低減やタッチパネルを有する表示装置に対する設計の簡便化が図れ、コスト低減及び省スペース化等のための設計制約を低下させることが可能である。加えて、電極等に対して接続方法が容易となるために、製造方法を簡便化することができ、製造工程における作業工数を軽減させることが可能である。
【発明を実施するための最良の形態】
【００１１】
以下、この発明をその実施の形態を示す図面に基づいて具体的に説明する。
【００１２】
＜実施の形態１＞
（構成）
図１は、本実施の形態に係るタッチパネル付き表示装置２０を示す断面図である。タッチパネル付き表示装置２０は、液晶ディスプレイ装置（表示装置）１０の表示面上にタッチパネル１が配置される。
【００１３】
図１において、液晶ディスプレイ装置１０は、ＣＦ基板４とＴＦＴ基板５が対向して貼り付けられ、２枚の基板の間には液晶が挟持され、またＣＦ（カラーフィルタ）基板４とＴＦＴ基板５の対向する面の反対面には偏光板３が貼付される。さらに、ＴＦＴ基板側電極（表示装置側電極）６がＴＦＴ基板５の表示面側に配置される形で設けられる。
【００１４】
またタッチパネル１について、タッチパネル側電極２がタッチパネル１の裏面側に配置される形で設けられる。タッチパネル側電極２とＴＦＴ基板側電極６は、導電性ペースト７により電気的に接続されている。ここで導電性ペースト７として、導電性インク、導電性樹脂、導電性接着剤を用いてもかまわない。
【００１５】
（製法）
液晶ディスプレイ装置１０における表示面側の偏光板３表面に、タッチパネル１を貼り付け、タッチパネル側電極２とＴＦＴ基板側電極６が電気的に接続されるよう、タッチパネル側電極２とＴＦＴ基板側電極６の間に導電性ペーストを塗布する。
【００１６】
（効果）
本発明に係るタッチパネル付き表示装置２０は、ＴＦＴ基板側電極６とタッチパネル側電極２が導電性ペースト７を用いて電気的に接続されるため、フレキシブル基板の必要がない、あるいはフレキシブル基板を簡素化できる構造になる。これにより、フレキシブル基板の削減やタッチパネルを有する表示装置に対する設計の簡便化が図れ、コスト低減及び省スペース化等のための設計制約を低下させることが可能である。加えて、電極等に対して接続方法が容易となるために、製造方法を簡便化することができ、製造工程における作業工数を軽減させることが可能である。
【００１７】
また、本実施の形態においてタッチパネル側電極２はタッチパネル１の裏面側に配置されており、ＴＦＴ基板側電極６と対向する面に形成されるためタッチパネル側電極２とＴＦＴ基板側電極６との距離が近接し、導電性ペースト７は少量で接続することが可能である。
【００１８】
＜実施の形態２＞
（構成）
図２は、本実施の形態に係るタッチパネル付き表示装置２０を示す断面図である。
【００１９】
タッチパネル１について、本実施の形態ではタッチパネル側電極２がタッチパネル１の表示面側に配置される形で設けられる。タッチパネル側電極２とＴＦＴ基板側電極（表示装置側電極）６は、導電性ペースト７により電気的に接続されている。
【００２０】
その他の構成は実施の形態１と同様であるため、ここでの詳細な説明は省略する。
【００２１】
（製法）
液晶ディスプレイ装置１０における表示面側の偏光板３表面に、タッチパネル１を貼り付け、タッチパネル側電極２とＴＦＴ基板側電極６が電気的に接続されるよう、タッチパネル側電極２とＴＦＴ基板側電極６の間に導電性ペースト７を塗布する。
【００２２】
（効果）
本発明に係るタッチパネル付き表示装置２０は、実施の形態１と同様にコスト低減及び省スペース化等のための設計制約を低下させることが可能であり、また製造工程における作業工数を軽減させることが可能である。
【００２３】
また、本実施の形態においてタッチパネル側電極２はタッチパネル１の表示面側に配置されており、実施の形態１のように裏面側に配置される場合に比べてタッチパネル側電極２を視認しやすく、導電性ペースト７の塗布が容易に可能である。
【００２４】
＜実施の形態３＞
（構成）
図３は、本実施の形態に係るタッチパネル付き表示装置２０を示す断面図である。
【００２５】
タッチパネル１について、本実施の形態ではタッチパネル側電極２がタッチパネル１の側面側に配置される形で設けられる。タッチパネル側電極２とＴＦＴ基板側電極（表示装置側電極）６は、導電性ペースト７により電気的に接続されている。
【００２６】
その他の構成は実施の形態１と同様であるため、ここでの詳細な説明は省略する。
【００２７】
（製法）
液晶ディスプレイ装置１０における表示面側の偏光板３表面に、タッチパネル１を貼り付け、タッチパネル側電極２とＴＦＴ基板側電極６が電気的に接続されるよう、タッチパネル側電極２とＴＦＴ基板側電極６の間に導電性ペースト７を塗布する。
【００２８】
（効果）
本発明に係るタッチパネル付き表示装置２０は、実施の形態１と同様にコスト低減及び省スペース化等のための設計制約を低下させることが可能であり、また製造工程における作業工数を軽減させることが可能である。
【００２９】
また、本実施の形態においてタッチパネル側電極２はタッチパネル１の側面側に配置されており、裏面側に配置される場合に比べてタッチパネル側電極２を視認しやすく導電性ペースト７の塗布が容易に可能であり、また表示面側に配置される場合に比べて導電性ペースト７は少量で接続することが可能である。
【図面の簡単な説明】
【００３０】
【図１】本発明の実施の形態１に係るタッチパネル付き表示装置を示す断面図である。
【図２】本発明の実施の形態２に係るタッチパネル付き表示装置を示す断面図である。
【図３】本発明の実施の形態３に係るタッチパネル付き表示装置を示す断面図である。
【符号の説明】
【００３１】
１  タッチパネル、２  タッチパネル側電極、３  偏光板、４  ＣＦ基板、５  ＴＦＴ基板、６  ＴＦＴ基板側電極、７  導電性ペースト、１０  液晶ディスプレイ装置、２０  タッチパネル付き表示装置。
【図１】
2009199107.tif 000003
【図２】
2009199107.tif 000004
【図３】
2009199107.tif 000005